(57)【特許請求の範囲】
【請求項１】
大略直方体の形状で、凸レンズを備えた２つの接眼孔と、下面に続く接鼻穴を備えた接眼面、当該接眼面に向かい合い、情報機器の画面に対応する２つの長方形の開口部を有する対向側面並びにワンタッチ底として形成される左右側面を有することを特徴とするバーチャル・リアリティ・ビューワー。
【請求項２】
平面形状と立体形状とを取ることが可能な請求項１記載のバーチャル・リアリティ・ビューワー。
【請求項３】
前記凸レンズが、対向面側を凸面とする平凸レンズである請求項１または２項記載のバーチャル・リアリティ・ビューワー。
【発明の詳細な説明】
【技術分野】
【０００１】
本発明は、バーチャル・リアリティ・ビューワーに関し、更に詳細には、ワンタッチ式で組み立てることができ、使用者が簡便に利用することのできるバーチャル・リアリティ・ビューワーに関する。
【背景技術】
【０００２】
近ごろ、新しい映像媒体としてバーチャル・リアリティ（ＶＲ）が注目を浴びている。このＶＲは、ＶＲゴーグルと呼ばれる機器のヘッドマウントディスプレイに内蔵された方位・加速度センサーにより、頭の向きに応じて３６０度のパノラマコンテンツを楽しむものが一般的であり、動画やゲームといったジャンルで、非常に没入感の高い映像体験ができるものである。
【０００３】
このようなＶＲゴーグルとしては、「オキュラスリフト」や、ソニーの「モーフィアス」、ゲーム周辺機器メーカーが開発した「ＯＳＶＲ」などが知られているが、これらの機器はいずれも高価であり、一般の人が入手し、簡単に体験できるとは言えなかった。
【０００４】
そこで、簡単にＶＲを体験できるものとして、「簡易ＶＲゴーグル」と呼ばれるものが提供されている。この簡易ＶＲゴーグルとは、スマートフォンやタブレット（以下、「スマホ」という）等の情報機器の各種センサーやディスプレイを利用することで、簡単にパノラマコンテンツによるＶＲ体験が楽しめるデバイスであり、本体は段ボールかプラスチックで構成されるもので、手持ちのスマホを箱体に挿し込み、これを反対側の接眼孔から覗いて利用するのが一般的である（非特許文献１）。
【０００５】
このような簡易ＶＲゴーグルは、簡易型とはいいながら、映像体験の質は「オキュラスリフト」等と遜色はなく、映像を出力するためのパソコンや接続用のケーブルが不要な点で、一般の使用には、より利便性が高いともいえるものである。
【先行技術文献】
【非特許文献】
【０００６】
【非特許文献１】「ＶＲゴーグル徹底比較」、http://3dvr-store.com/panon/vr
【発明の概要】
【発明が解決しようとする課題】
【０００７】
上記したように、スマホを用いるＶＲゴーグルは、従来のＶＲ用機器に比べ、簡便・安価・軽快という特徴を有するものではあるが、その使用性のさらなる向上が求められていた。
【課題を解決するための手段】
【０００８】
本発明者らは、従来の簡易ＶＲゴーグルの有する使用性での問題、すなわち、販促品やノベルティとして配布することが多く、簡単な組み立てが要求されることや、配布時や郵送時の形態をコンパクトにする必要があるという問題について着目し、検討を行った結果、その構造を特定のものとすることで、組み立てが極めて簡単になり、また、コンパクトな形状で配布しやすく、また郵送等も安価でできることを見出し、本発明を完成した。
【０００９】
すなわち本発明は、大略直方体の形状で、凸レンズを備えた２つの接眼孔と、下面に続く接鼻穴を備えた接眼面、当該接眼面に向かい合い、情報機器の画面に対応する２つの長方形の開口部を有する対向側面並びにワンタッチ底として形成される左右側面を有することを特徴とするＶＲビューワーである。
【００１０】
また本発明は、平面形状と立体形状とを取ることが可能な前記のＶＲビューワーである。
【発明の効果】
【００１１】
本発明のＶＲビューワーは、従来の簡易型ＶＲゴーグルの有する簡便性等の特徴を有するとともに、さらに組み立ての簡便性、形状のコンパクト化を達成したものである。従ってこのものは、販促品やノベルティとして極めて有利なものである。
【図面の簡単な説明】
【００１２】
【図１】本発明のＶＲビューワーの形状を示す斜視図である。
【図２】本発明のＶＲビューワーの展開図である。図中、点線は外折線を、一点鎖線は内折線を示し、斜線部は糊付部を示す。
【発明を実施するための形態】
【００１３】
次に図面を参照しながら本発明をさらに詳しく説明する。
【００１４】
図１は、本発明のＶＲビューワーの一態様を示す斜視図であり、図２は、その展開図である。図中、１はＶＲビューワー、２は接眼面、３は対向面、４は側面、５は下面、６は天面、７は接眼孔、８はレンズ、９は接鼻穴、１０は開口部をそれぞれ示す。
【００１５】
図１に示すように、本発明のＶＲビューワー１は、接眼面２、対向面３、下面５、天面６および左右側面４により構成される、大略直方体の形状をしている。
【００１６】
このうち、接眼面２には、接眼孔７が設けられており、ここに凸レンズ８が取り付けられている。この凸レンズ８は、対向面３に設けられた開口部１０を通してスマホの画面（図示せず）を見るものである。この凸レンズ８は、通常の両面が凸のものであっても、また一面のみ、例えば対向面３側が凸である平凸レンズであっても良い。
【００１７】
また、接眼面２には、その下部中央に、下面５にまでつながる接鼻穴９が設けられている。この接鼻穴９は、ＶＲビューワー１を通してスマホ等情報機器の画面を見る際に、鼻梁を収容し、目と接眼孔の密着を高めるためのものである。
【００１８】
一方、接眼面２の反対側の対向面３には、スマホ画面に対応させた２つの開口部１０が設けられている。この開口部１０は、スマホ等の情報機器のディスプレイ上に、いわゆるサイド−バイ−サイド方式で表示されるＶＲ画面のそれぞれ左右の画像を、接眼孔７の左右それぞれで見ることにより、立体感のある画像を見ることができるのである。
【００１９】
更に本発明の大きな特徴の一つは、左右の側面４ａおよび４ｂが共に、いわゆるワンタッチ底の形式で構成されている点である。このワンタッチ底とは、底面を形成する片が接着されたタイプのパッケージ底の構造であり、底の部分を貼ることで強い構造になるとされているものである。
【００２０】
より具体的に、左側側面４ａについて、その構成方法を展開図である図２に基づいて説明すれば次の通りである。
【００２１】
まず、左側側面４ａは、第１構成片４０および４２と、第２構成片４１および４３より形成される。このうち、第１構成片４０、４２には、内折りに折り曲げられた後、第２構成片４１、４３に接着固定される部分構造４０ｂ、４２ｂが設けられる。これらの部分が接着される糊付部は、第２構成片４１および４３の、それぞれ斜線を付した部分である。この部分構造４０ｂと第２構成片４１の接着により作られた部分の下に、第１構成片４２の一部である４２ａを、部分構造４２ｂと第２構成片４３の接着により作られた部分の下に、第１構成片４０の一部である４０ａをそれぞれ押し込むことで、ワンタッチ底構造が作られる。
【００２２】
右側側面４ｂのワンタッチ底構造も、第１構成片４４および４６、第２構成片４５および４７を用い、上記した左側側面４ａと同様に形成される。
【００２３】
このように左側側面４ａおよび右側側面４ｂが形成された後、接眼面２に設けられた糊付部１１を利用するなどして上面６と接着することでＶＲビューワーが得られる。
【００２４】
この組み立てられたＶＲビューワー１は、接眼面２と天面６の間の辺および対向面３と下面５の間の辺を単に押すことでも、またワンタッチ底構造の左側側面４ａ、右側側面４ｂを押し込むことでも、容易に立体形状（直方体）から平面形状へと変えることができる。また、平面形状から立体形状へと変化させるには、突出した辺（接眼面２と下面５の間の辺および対向面３と天面６の間の辺）を単に押せば良い。従って、このものを販促品やノベルティとして配布等するときは平面形状物としておき、使用時は、突出した辺を押すことで自動的に立体形状のＶＲビューワーが組みあがるので、特段の組み立てを必要とせず、即時に利用可能となる。すなわち、本発明のＶＲビューワーは平面形状と立体形状とを取ることが可能であるという特徴を有するが、これは、展開図において、中心線の両側が線対称であることによる効果である。
【００２５】
なお、本発明のＶＲビューワーは、例えば、板紙、厚紙、ボール紙のような紙類や、プラスチック製のシート状物で構成することができるので、コスト的にも極めて安価なものである。
【００２６】
更に必要に応じては、下面５にスマホ等を保持するシート状舌辺あるいは保持突起、ゴム紐（いずれも図示せず）等を取り付け、スマホの保持をより安定とすることもできる。
【００２７】
このようにして得られる本発明のＶＲビューワーは、接眼部７および開口部１０を通し、スマホ等情報機器のディスプレイに表示されるサイド−バイ−サイド方式ＶＲを視ることにより、スマホ等の各種センサー等の機能で簡単にパノラマコンテンツによるＶＲ体験が楽しめる。
【産業上の利用可能性】
【００２８】
本発明のＶＲビューワーは、スマホのサイド−バイ−サイド方式のＶＲを、より立体感を高めた状態で聴視することができるものである。そして、このものは経済性高く製造することができ、極めて簡単に組み立てられるので、その使用性も高いものである。更に、組み立て後、使用前においては、平面形状であるので、保管の置き場所もかからず、郵送等においても余分な料金等を必要としないものである。
【００２９】
従って、高価な機器を使用することなく、簡便にＶＲを楽しむことができるものとして、販促品、ノベルティ等として有利に利用できるものである。
【符号の説明】
【００３０】
１  ‥‥  ＶＲビューワー
２  ‥‥  接眼面
３  ‥‥  対向面
４  ‥‥  側面
５  ‥‥  下面
６  ‥‥  天面
７  ‥‥  接眼孔
８  ‥‥  レンズ
９  ‥‥  接鼻穴
１０  ‥‥  開口部
【要約】      （修正有）【課題】組み立てが極めて簡単であり、また、保存や郵送等に適したコンパクトな形状を有しながら、従来の製品と同様のレベルでバーチャル・リアリティを楽しむことのできるバーチャル・リアリティ・ビューワーを提供する。【解決手段】大略直方体の形状で、凸レンズ８を備えた２つの接眼孔７と、下面５に続く接鼻穴９を備えた接眼面２、当該接眼面２に向かい合い、情報機器の画面に対応する２つの長方形の開口部１０を有する対向側面３並びにワンタッチ底として形成される左右側面４ａ,４ｂを有するバーチャル・リアリティ・ビューワー１。【選択図】図１【図１】
0005887626.tif 000002
【図２】
0005887626.tif 000003